(57)【要約】【課題】  ＦＰＵリモコンシステムにおける受信状態の表示において、受信電界強度の表示に加え、ＢＥＲ状態を表示し、かつ表示方式の違いにより発生する操作者の違和感を軽減し、受信状態の良悪を瞬時に判断可能とすること。【解決手段】  ＦＰＵリモコンシステムにおける受信状態の表示において、ＦＰＵリモコンシステムの操作端末表示画面に、受信電界強度の表示に加え、ＢＥＲ状態を表示し、かつ当該受信電界強度の表示とＢＥＲ状態の表示を同じ表示基準(条件)にて表示することにより、受信電界強度とＢＥＲ状態を同じ良悪判定基準で判断できるＦＰＵリモコンシステムの受信状態表示方法である。【選択図】  図１
2005252729.tif 000002
【特許請求の範囲】
【請求項１】
ＦＰＵリモコンシステムにおける受信状態の表示において、ＦＰＵリモコンシステムの操作端末表示画面に、受信電界強度の表示に加え、ＢＥＲ状態を表示し、かつ当該受信電界強度の表示とＢＥＲ状態の表示を同じ表示基準にて表示することを特徴とするＦＰＵリモコンシステムの受信状態表示方法。
【発明の詳細な説明】
【技術分野】
【０００１】
本発明は、伝送装置（ＦＰＵ）の受信設備である受信基地局を遠隔監視制御するための装置である、ＦＰＵリモコンシステムにおける受信状態表示方法に関する。
【背景技術】
【０００２】
従来、種々の番組を放送する放送局などでは、放送するニュース番組等で使用する映像素材(放送素材)をテレビジョンカメラ等で撮影して得、得られた映像素材をマイクロ波で中継車などから送信して、その送信電波を受信基地局（例えば、見通しの良い山頂などに設置された受信設備）で受信し、受信した放送素材を、専用ＴＳＬ(Transmitter Studio Link)回線により放送局へ伝送し、そこで収録または放送される。
ここで、従来からあるアナログ方式のＦＰＵの場合、受信基地局の受信状態は、受信電界の強弱を表すためのメータが、例えば、放送局の操作端末パソコンのＣＲＴ上に表示されて、操作者がその表示を見て良否判定する方式としていた。
一方、地上波デジタル放送として、近年開発されてきている放送方式に用いるデジタル方式のＦＰＵでは、受信電界の強弱を表すメータだけでは、受信状態の良否判定を正確に行うことはできない。
【０００３】
図４は、従来の技術に関わるＦＰＵリモコンシステムの操作端末表示画面の一例を示した図である。この図において、１０１はＦＰＵリモコンシステムの操作端末パソコンの表示画面で、受信基地局の回転台や受信機の電源・周波数を制御操作する装置である。１０２は受信基地局付近の平面地図表示エリアである。１０３は真北を０度としたときの平面地図表示エリア１０２上において、受信設備の回転アンテナの向きを表す線、１０４は、受信設備の回転アンテナで受信された電波の受信電界強度を表すメータで、例えば、複数のＬＥＤを横に並べたものである。通常、操作者はこのメータ１０４を見ながら回転アンテナを動かし、受信電界が最も強い方向へ調整する(例えば、特許文献１参照)。
ここで、従来のＦＰＵリモコン端末における受信電界メータの表示は、図５のように、受信状態が悪いときは、ＬＥＤが消灯、良くなるに従って左から１つずつ点灯する仕様となっている。
【特許文献１】特開２０００−３４１２２４公報
【発明の開示】
【発明が解決しようとする課題】
【０００４】
上述の様に、デジタル方式のＦＰＵでは、受信電界の強弱を表すメータだけでは、受信状態の良否判定を正確に行うことはできない。
例えば、デジタル方式のＦＰＵでは、受信電界強度が強くても、受信信号における単位時間当りのエラー発生率であるビットエラーレート(ＢＥＲ)が悪ければ、受信不能となる等、受信状態の良否判定に、ＢＥＲ状態の把握が重要な要因となる。
本発明はこれらの欠点を除去するため、ＦＰＵリモコンシステムにおける受信状態の表示において、受信電界強度の表示に加え、ＢＥＲ状態を表示し、かつ表示方式の違いにより発生する操作者の違和感を軽減し、受信状態の良悪を瞬時に判断可能とすることを目的とする。
【課題を解決するための手段】
【０００５】
本発明は上記の目的を達成するため、ＦＰＵリモコンシステムにおける受信状態の表示において、ＦＰＵリモコンシステムの操作端末表示画面に、受信電界強度の表示に加え、ＢＥＲ状態を表示し、かつ当該受信電界強度の表示とＢＥＲ状態の表示を同じ表示基準にて表示するＦＰＵリモコンシステムの受信状態表示方法である。
【発明の効果】
【０００６】
上述したように本発明によれば、受信電界強度の表示とＢＥＲ状態の表示基準(条件)を同じにすることにより、操作者は受信電界強度とＢＥＲ状態を、同じ良悪判定基準で判断できるため、リモートコントロール端末の操作に混乱を招く恐れがなくなる。
【発明を実施するための最良の形態】
【０００７】
図１は、本発明のＦＰＵリモコンシステムの操作端末表示画面の一例を示したもので、１１はＦＰＵリモコンシステムの操作端末パソコンの表示画面、１２は受信基地局付近の平面地図表示エリア、１３は真北を０度としたときの平面地図表示エリア１２上において受信設備の回転アンテナの向きを表す線、１４は受信設備の回転アンテナで受信された電波の受信電界強度を表すメータ、１５は受信信号における単位時間当りのエラー発生率であるビットエラーレート(ＢＥＲ) 状態を表すメータで、例えば、複数のＬＥＤを横に並べたものである。
まず、ＦＰＵリモコンシステムの操作端末パソコンの表示画面１１に、図５に示すような受信電界メータ１４と共に表示されるＢＥＲ状態を表すメータ１５の具体的な表示例について、図３を用いて説明する。
このＢＥＲ状態を表すメータは、例えば、複数のＬＥＤを横に並べたもので、ＢＥＲが悪条件の時に全て点灯、良条件になるに従い左から右に消灯する。
これらの受信電界メータ(図５)とＢＥＲ状態を表すメータ(図３)を並べて表示すると、それぞれの表示基準(状態が悪くなる方向)が異なるため、操作者はＬＥＤが点灯した時に良い条件なのか悪い条件なのか瞬時に判断しにくい状況となり、回転アンテナを操作する操作者に混乱を招く恐れがある。
【０００８】
そこで本発明では、図２に示すように、ＢＥＲ状態を表すメータの表示基準を、図５に示す受信電界メータの表示基準と同じにする。
即ち、ＢＥＲ状態が悪い状況ではＬＥＤを消灯、良い状況になるに従って、左から右へ１つずつ点灯するものとする。
なお、図２内の数値は、ＢＥＲの値(エラー発生率)の例えば「１０-4」から、べき乗の部分を取り出して表示している。また、ＬＥＤを表す四角内が網掛け(色付き)は点灯、白抜きは消灯とする。
以上の様に本発明は、受信電界メータとＢＥＲ状態メータを同様の表示基準、つまり、良し悪しの表示方向を同じとすることにより、操作者は、メータのＬＥＤが消灯している程、受信状態が悪く、ＬＥＤが点灯するに従って受信状態が良くなることが、瞬時に判断できるため、回転アンテナを正確に操作することができる。
【図面の簡単な説明】
【０００９】
【図１】本発明のＦＰＵリモコンシステムの操作端末表示画面の一例を示す図
【図２】本発明のＢＥＲ状態を表すメータの表示の一例を示す模式図
【図３】本発明のＢＥＲ状態を表すメータの表示の一例を示す模式図
【図４】従来のＦＰＵリモコンシステムの操作端末表示画面の一例を示す図
【図５】本発明の受信電界メータの表示の一例を示す模式図
【符号の説明】
【００１０】
１１：ＦＰＵリモコンシステムの操作端末パソコンの表示画面、１２：受信基地局付近の平面地図表示エリア、１３：回転アンテナの向きを表す線、１４：受信電界強度を表すメータ、１５：ＢＥＲ状態を表すメータ。
【図１】
2005252729.tif 000003
【図２】
2005252729.tif 000004
【図３】
2005252729.tif 000005
【図４】
2005252729.tif 000006
【図５】
2005252729.tif 000007